【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
基地局（２０）によって実施される、ユーザ端末から制御情報を受信する方法であって、
１つ以上の下りリンクコンポーネントキャリアに前記ユーザ端末（１００）への下りリンク送信をスケジューリングする工程（５２）と、
前記ユーザ端末（１００）が単一の第１下りリンクコンポーネントキャリアで下りリンク送信を受信するようにスケジューリングされた場合に、前記第１下りリンクコンポーネントキャリアに関連する上りリンク一次コンポーネントキャリア上の無線リソースの第１集合で前記ユーザ端末（１００）への前記下りリンク送信に関連する制御情報を受信する工程（５４）と、
前記ユーザ端末（１００）が単一の第２下りリンクコンポーネントキャリア又は複数の下りリンクコンポーネントキャリアで下りリンク送信を受信するようにスケジューリングされた場合に、前記上りリンク一次コンポーネントキャリア上の無線リソースの第２集合で前記ユーザ端末（１００）への前記下りリンク送信に関連する制御情報を受信する工程（５６）と
を有することを特徴とする方法。
【請求項２】
前記上りリンク一次コンポーネントキャリア上の無線リソースの前記第１集合を暗黙的又は明示的に示すように下りリンクコンポーネントキャリアで前記ユーザ端末へ制御情報を送信する工程を更に有することを特徴とする請求項１に記載の方法。
【請求項３】
前記上りリンク一次コンポーネントキャリア上の無線リソースの前記第２集合を暗黙的又は明示的に示すように下りリンクコンポーネントキャリアで前記ユーザ端末へ制御情報を送信する工程を更に有することを特徴とする請求項１又は２に記載の方法。
【請求項４】
無線リソースの前記第１集合と前記第２集合とのうちの少なくとも一方は、下りリンク制御チャネルインデックスと、下りリンクコンポーネントキャリアの数と、ユーザ端末識別子とのうちの少なくとも１つによって暗黙的に示されることを特徴とする請求項１乃至３の何れか１項に記載の方法。
【請求項５】
無線リソースの前記第１集合と前記第２集合とのうちの少なくとも一方は、上りリンク制御チャネルインデックスによって明示的に示されることを特徴とする請求項１乃至３の何れか１項に記載の方法。
【請求項６】
前記明示的な表示は無線リソース制御シグナリングとして送信されることを特徴とする請求項５に記載の方法。
【請求項７】
前記ユーザ端末が前記単一の第２下りリンクコンポーネントキャリア又は複数の下りリンクコンポーネントキャリアで下りリンク送信を受信するようにスケジューリングされた場合に、前記上りリンク一次コンポーネントキャリア上の無線リソースの前記第２集合を前記ユーザ端末へ動的に割り当てるように下りリンクコンポーネントキャリアで確認応答リソース表示を送信する工程を更に有することを特徴とする請求項１に記載の方法。
【請求項８】
前記確認応答リソース表示は上りリンクリソースの準静的な集合からリソースの前記第２集合を選択することを特徴とする請求項７に記載の方法。
【請求項９】
基地局（２０）であって、
１つ以上の下りリンクコンポーネントキャリアでユーザ端末（１００）へユーザデータを送信するための送信機（２４）と、
前記ユーザ端末（１００）への下りリンク送信をスケジューリングするためのコントローラ（３４）とを備え、
前記コントローラは、
１つ以上の下りリンクコンポーネントキャリアに前記ユーザ端末（１００）への下りリンク送信をスケジューリングし、
前記ユーザ端末（１００）が単一の第１下りリンクコンポーネントキャリアで下りリンク送信を受信するようにスケジューリングされた場合に、前記第１下りリンクコンポーネントキャリアに関連する上りリンク一次コンポーネントキャリア上の無線リソースの第１集合で前記ユーザ端末（１００）への前記下りリンク送信に関連する制御情報を受信し、
前記ユーザ端末（１００）が単一の第２下りリンクコンポーネントキャリア又は複数の下りリンクコンポーネントキャリアで下りリンク送信を受信するようにスケジューリングされた場合に、前記上りリンク一次コンポーネントキャリア上の無線リソースの第２集合で前記ユーザ端末（１００）への前記下りリンク送信に関連する制御情報を受信する
ように構成されることを特徴とする基地局。
【請求項１０】
前記コントローラは、前記上りリンク一次コンポーネントキャリア上の無線リソースの前記第１集合を暗黙的又は明示的に示すように下りリンクコンポーネントキャリアで前記ユーザ端末へ制御情報を送信するように更に構成されることを特徴とする請求項９に記載の基地局。
【請求項１１】
前記コントローラは、前記上りリンク一次コンポーネントキャリア上の無線リソースの前記第２集合を暗黙的又は明示的に示すように下りリンクコンポーネントキャリアで前記ユーザ端末へ制御情報を送信するように更に構成されることを特徴とする請求項９又は１０に記載の基地局。
【請求項１２】
前記コントローラは、下りリンク制御チャネルインデックスと、下りリンクコンポーネントキャリアの数と、ユーザ端末識別子とのうちの少なくとも１つを送信することによって、無線リソースの前記第１集合と前記第２集合とのうちの少なくとも一方を暗黙的に示すように更に構成されることを特徴とする請求項９乃至１１の何れか１項に記載の基地局。
【請求項１３】
前記コントローラは、上りリンク制御チャネルインデックスを送信することによって、無線リソースの前記第１集合と前記第２集合とのうちの少なくとも一方を明示的に示すように更に構成されることを特徴とする請求項９乃至１１の何れか１項に記載の基地局。
【請求項１４】
前記コントローラは、前記明示的な表示を無線リソース制御シグナリングとして送信するように更に構成されることを特徴とする請求項１３に記載の基地局。
【請求項１５】
前記コントローラは、前記ユーザ端末が前記単一の第２下りリンクコンポーネントキャリア又は複数の下りリンクコンポーネントキャリアで下りリンク送信を受信するようにスケジューリングされた場合に、前記上りリンク一次コンポーネントキャリア上の無線リソースの前記第２集合を前記ユーザ端末へ動的に割り当てるように下りリンクコンポーネントキャリアで確認応答リソース表示を送信するように更に構成されることを特徴とする請求項９に記載の基地局。
【請求項１６】
前記確認応答リソース表示は上りリンクリソースの準静的な集合からリソースの前記第２集合を選択することを特徴とする請求項１５に記載の基地局。
【請求項１７】
ユーザ端末（１００）によって実施される、移動体通信ネットワークにおける制御情報を送信する方法であって、
基地局（２０）から下りリンク送信についての無線リソースの割り当てを受信する工程（６２）と、
前記下りリンク送信について単一の下りリンクコンポーネントキャリアの割り当てが受信された場合に、上りリンクコンポーネントキャリア上の無線リソースの第１集合で前記下りリンク送信に関連する制御情報を送信する工程（６４）と、
前記下りリンク送信について複数の下りリンクコンポーネントキャリアの割り当てが受信された場合に、前記上りリンクコンポーネントキャリア上の無線リソースの第２集合で前記下りリンク送信に関連する制御情報を送信する工程（６６）と
を有することを特徴とする方法。
【請求項１８】
前記下りリンク送信について単一の下りリンクコンポーネントキャリアが割り当てられた場合に、無線リソースの前記第２集合でユーザデータを送信する工程を更に有することを特徴とする請求項１７に記載の方法。
【請求項１９】
上りリンク一次コンポーネントキャリア上の無線リソースの前記第２集合を暗黙的又は明示的に示す制御情報を下りリンクコンポーネントキャリアで前記基地局から受信する工程を更に有することを特徴とする請求項１７又は１８に記載の方法。
【請求項２０】
前記制御情報を受信する工程は、リソースの前記第２集合を暗黙的に識別する、下りリンク制御チャネルインデックスと、下りリンクコンポーネントキャリアの数と、ユーザ端末識別子とのうちの１つを受信する工程を含むことを特徴とする請求項１７乃至１９の何れか１項に記載の方法。
【請求項２１】
前記制御情報を受信する工程は、リソースの前記第２集合を明示的に識別する上りリンク制御チャネルインデックスを受信する工程を含むことを特徴とする請求項１７乃至１９の何れか１項に記載の方法。
【請求項２２】
前記明示的な表示は無線リソース制御シグナリングとして受信されることを特徴とする請求項２１に記載の方法。
【請求項２３】
前記ユーザ端末が単一の第２下りリンクコンポーネントキャリア又は複数の下りリンクコンポーネントキャリアで下りリンク送信を受信するようにスケジューリングされた場合に、上りリンク一次コンポーネントキャリア上の無線リソースの前記第２集合を動的に割り当てる下りリンクコンポーネントキャリア上の確認応答リソース表示を基地局から受信する工程を更に有することを特徴とする請求項１７に記載の方法。
【請求項２４】
前記確認応答リソース表示に応じて上りリンクリソースの準静的な集合からリソースの前記第２集合を選択する工程を更に有することを特徴とする請求項２３に記載の方法。
【請求項２５】
移動体通信用のユーザ端末（１００）であって、
基地局（２０）から下りリンク送信を受信するための受信機（１１６）と、
前記下りリンク送信に関連する制御情報を基地局（２０）へ送信するための送信機（１１２）と、
前記下りリンク送信に関連する制御情報の送信について無線リソースを選択するためのコントローラ（１２２）とを備え、
前記コントローラは、
前記下りリンク送信について単一の下りリンクコンポーネントキャリアの割り当てが受信された場合に、上りリンクコンポーネントキャリア上の無線リソースの第１集合を選択し、
前記下りリンク送信について複数の下りリンクコンポーネントキャリアの割り当てが受信された場合に、前記上りリンクコンポーネントキャリア上の無線リソースの第２集合を選択する
ように構成されることを特徴とするユーザ端末。
【請求項２６】
前記下りリンク送信について単一の下りリンクコンポーネントキャリアが割り当てられた場合に、無線リソースの前記第２集合でユーザデータを送信するように構成されることを特徴とする請求項２５に記載のユーザ端末。
【請求項２７】
前記コントローラは、上りリンク一次コンポーネントキャリア上の無線リソースの前記第２集合を暗黙的又は明示的に識別する制御情報を下りリンクコンポーネントキャリアで前記基地局から受信するように更に構成されることを特徴とする請求項２５又は２６に記載のユーザ端末。
【請求項２８】
前記コントローラは、無線リソースの前記第２集合を暗黙的に識別する、下りリンク制御チャネルインデックスと、下りリンクコンポーネントキャリアの数と、ユーザ端末識別子とのうちの少なくとも１つを受信するように更に構成されることを特徴とする請求項２５乃至２７の何れか１項に記載のユーザ端末。
【請求項２９】
前記コントローラは、上りリンク一次コンポーネントキャリア上の無線リソースの前記第２集合を明示的に識別する上りリンク制御チャネルインデックスを受信するように更に構成されることを特徴とする請求項２５乃至２７の何れか１項に記載のユーザ端末。
【請求項３０】
前記コントローラは、前記明示的な表示を無線リソース制御シグナリングとして受信するように更に構成されることを特徴とする請求項２９に記載のユーザ端末。
【請求項３１】
前記コントローラは、前記ユーザ端末が単一の第２下りリンクコンポーネントキャリア又は複数の下りリンクコンポーネントキャリアで下りリンク送信を受信するようにスケジューリングされた場合に、上りリンク一次コンポーネントキャリア上の無線リソースの前記第２集合を動的に割り当てる下りリンクコンポーネントキャリア上の確認応答リソース表示を基地局から受信するように更に構成されることを特徴とする請求項２５に記載のユーザ端末。
【請求項３２】
前記コントローラは、前記確認応答リソース表示に応じて上りリンクリソースの準静的な集合からリソースの前記第２集合を選択するように更に構成されることを特徴とする請求項３１に記載のユーザ端末。
【請求項３３】
移動体通信ネットワークにおいてユーザ端末（１００）によって実施される方法であって、
基地局（２０）から下りリンク送信についての無線リソースの割り当てを受信する工程（７２）と、
前記下りリンク送信について第１下りリンクコンポーネントキャリアの割り当てが受信された場合に、上りリンクコンポーネントキャリア上の無線リソースの第１集合で前記下りリンク送信に関連する制御情報を送信する工程（７４）と、
前記下りリンク送信について第２下りリンクコンポーネントキャリアの割り当てが受信された場合に、前記上りリンクコンポーネントキャリア上の無線リソースの第２集合で前記下りリンク送信に関連する制御情報を送信する工程（７６）と
を有することを特徴とする方法。
【請求項３４】
移動体通信用のユーザ端末であって、
基地局（２０）から下りリンク送信を受信するための受信機（１１６）と、
前記下りリンク送信に関連する制御情報を基地局（２０）へ送信するための送信機（１１２）と、
下りリンク送信に関連する制御情報の送信について無線リソースを選択するためのコントローラ（１２２）とを備え、
前記コントローラは、
前記下りリンク送信について第１下りリンクコンポーネントキャリアの割り当てが受信された場合に、上りリンクコンポーネントキャリア上の無線リソースの第１集合を選択し、
前記下りリンク送信について第２下りリンクコンポーネントキャリアの割り当てが受信された場合に、前記上りリンクコンポーネントキャリア上の無線リソースの第２集合を選択する
ように構成されることを特徴とするユーザ端末。